(57)【要約】  電気コネクタは、ひどい機械的、電気的及び環境的要求から電気コネクタ及び連結部材を守るために用いられる。ジャックはジャックハウジングによって受けられ、プラグはプラグハウジングによって受けられる。ジャックはプラグを受けるように改良される。第一シール部材は、プラグハウジングとジャックハウジングとの間に配置され、ジャックとプラグが連結されると、それらの間を密閉する。連結部材はプラグハウジングに取り付けられ、ジャックハウジングを受けるように改良される。バネ部材は連結部材とプラグハウジングとの間に配置され、ジャックハウジングとプラグハウジングとの間で、第一シール部材を圧縮する。
2007519188.tif 000002
【特許請求の範囲】
【請求項１】
ジャックと、
前記ジャックを受けるジャックハウジングと、
前記ジャックと嵌合可能なプラグと、
前記プラグを受けるプラグハウジングと、
前記プラグハウジングと前記ジャックハウジングとの間に配置され、それらの間を密閉する第一シール部材と、
前記プラグハウジングに取り付けられ、前記ジャックハウジングを受ける連結部材と、
前記連結部材と前記プラグハウジングとの間に配置され、前記第一シール部材を圧縮するために、前記ジャックハウジングと前記プラグハウジングとの間に付勢力を加えるバネ部材と、
を備えたことを特徴とする電気コネクタ。
【請求項２】
前記ジャックはＲＪ−４５ジャックからなり、
前記プラグはＲＪ−４５プラグからなることを特徴とする請求項１記載の電気コネクタ。
【請求項３】
固定部材は、電気コネクタを表面に取り付けるために、前記ジャックハウジングによって、ねじ込み可能で受けられることを特徴とする請求項１記載の電気コネクタ。 
【請求項４】
前記固定部材はナットからなることを特徴とする請求項３記載の電気コネクタ。
【請求項５】
第二シール部材は、前記固定部材と第二ショルダーとの間の前記プラグハウジング上に配置されることを特徴とする請求項３記載の電気コネクタ。
【請求項６】
前記プラグハウジングは、外面上に、前記連結部材の後壁の動きを制限する第一ショルダーを有することを特徴とする請求項１記載の電気コネクタ。
【請求項７】
前記バネは、前記プラグハウジング上であって、前記第一ショルダーと、前記連結部材の前記後壁との間に配置されることを特徴とする請求項６記載の電気コネクタ。
【請求項８】
前記バネは、重複バネ（overlap spring）からなることを特徴とする請求項１記載の電気コネクタ。
【請求項９】
前記バネは、ステンレススチールからなることを特徴とする請求項１記載の電気コネクタ。
【請求項１０】
キャップは、前記ジャックハウジングに連結されることを特徴とする請求項１記載の電気コネクタ。
【請求項１１】
前記キャップは、前記連結部材が取り除かれたときに、前記ジャックハウジングを閉じるために前記ジャックハウジングに連結されることを特徴とする請求項１０記載の電気コネクタ。
【請求項１２】
取付表面に固定される電気コネクタにおいて、
ジャックと、
前記ジャックを受けるとともに、第一外面と、取付表面の第一側面近傍に配置された取付部材とを有するジャックハウジングと、
前記第一外面上で受けられるとともに、取付表面の第二側面近傍に配置された固定部材と、
前記ジャック内で受けられたプラグと、
前記プラグを受けるとともに、第二外面と、前記第二外面から外方に延在する第一ショルダーとを有するプラグハウジングと、
前記プラグハウジングと前記ジャックハウジングとの間に配置され、それらの間を密閉する第一シール部材と、
前記ジャックハウジングの前記第一外面上であって、前記取付部材と前記固定部材との間に配置された第二シール部材と、
後壁を有し、前記プラグハウジング上にあり、前記ジャックハウジングを受け、前記後壁の前記第一ショルダーによる動きを制限する連結部材と、
前記プラグハウジングの外面上に配置され、前記第一シール部材と第二シール部材を圧縮するために、前記連結部材と前記プラグハウジングとの間に付勢力を加えるバネ部材と、
を備えたことを特徴とする電気コネクタ。
【請求項１３】
前記ジャックはＲＪ−４５ジャックからなり、
前記プラグはＲＪ−４５プラグからなることを特徴とする請求項１２記載の電気コネクタ。
【請求項１４】
前記固定部材は、前記ジャックハウジングの前記外面に、ねじ込み可能で受けられることを特徴とする請求項１２記載の電気コネクタ。 
【請求項１５】
前記固定部材はナットからなることを特徴とする請求項１４記載の電気コネクタ。
【請求項１６】
前記バネは、重複バネ（overlap spring）からなることを特徴とする請求項１２記載の電気コネクタ。
【請求項１７】
前記バネは、ステンレススチールからなることを特徴とする請求項１２記載の電気コネクタ。
【請求項１８】
キャップは、前記ジャックハウジングに連結されることを特徴とする請求項１２記載の電気コネクタ。
【請求項１９】
前記キャップは、前記連結部材が取り除かれたときに、前記ジャックハウジングを閉じるために前記ジャックハウジングに連結されることを特徴とする請求項１８記載の電気コネクタ。
【請求項２０】
取付表面に固定されるために改良された電気コネクタにおいて、
ジャックと、
前記ジャックを受けるとともに、第一外面と、そこから外方に延在する第二ショルダーとを有し、取付表面の第一側面上に配置可能なジャックハウジングと、
前記第一外面上で受けられるとともに、前記電気コネクタを取付表面に固定する取付表面の第二側面に配置可能な固定部材と、
前記ジャック内で受けられるプラグと、
前記プラグを受けるとともに、第二外面と、前記第二外面から外方に延在する第一ショルダーとを有するプラグハウジングと、
前記第一ショルダーの前方の前記プラグハウジング上に配置され、前記プラグハウジングと前記ジャックハウジングの間を第一密閉する第一シール部材と、  
前記第二ショルダーの後方の前記ジャックハウジング上に配置され、前記ジャックハウジングと前記取付表面との間を第二密閉する第二シール部材と、
前記ジャックハウジング上にあり、後壁を有する連結部材と、
前記プラグハウジング上に配置され、前記第二ショルダーと前記連結部材の前記後壁との間に付勢力を加え、前記連結部材が、第一シール部材と第二シール部材を圧縮するために、前記ジャックハウジングと係合するときに圧縮されるバネと、
を備えたことを特徴とする電気コネクタ。
【請求項２１】
前記ジャックはＲＪ−４５ジャックからなり、
前記プラグはＲＪ−４５プラグからなることを特徴とする請求項２０記載の電気コネクタ。
【請求項２２】
前記固定部材は、前記ジャックハウジングの前記外面に、ねじ込み可能で受けられることを特徴とする請求項２０記載の電気コネクタ。 
【請求項２３】
前記固定部材はナットからなることを特徴とする請求項２２記載の電気コネクタ。
【請求項２４】
前記バネは、重複バネ（overlap spring）からなることを特徴とする請求項２０記載の電気コネクタ。
【請求項２５】
前記バネは、ステンレススチールからなることを特徴とする請求項２０記載の電気コネクタ。
【請求項２６】
キャップは、前記ジャックハウジングの前記第二シール部材に連結されることを特徴とする請求項２０記載の電気コネクタ。
【請求項２７】
前記キャップは、前記連結部材が取り除かれたときに、前記ジャックハウジングを閉じるために前記ジャックハウジングに連結されることを特徴とする請求項２６記載の電気コネクタ。
【発明の詳細な説明】
【技術分野】
【０００１】
本発明は、ひどい機械的、電気的又は環境的な要求から内部の部材を守る電気コネクタに関する。とりわけ、本発明は、電気コネクタを密閉するための取付表面を有するシール部材を容易に圧縮するバネ部材を有するひどい環境にある電気コネクタに関する。さらに特に、本発明は、ともにかみ合うプラグ組立体とハウジング組立体を有し、取付表面に固定されるひどい環境にある電気コネクタに関する。プラグ組立体は、ひどい機械的、電気的及び環境的条件に耐えるために電気コネクタを密閉するプラグ及びジャック組立体内で、シール部材を容易に圧縮するバネ部材を有している。
【背景技術】
【０００２】
速く十分なデータにアクセスし、転送する必要性が増加しているので、電気通信システムは新しい環境で使用され続けている。これらの環境の多くは、電気通信システムを、水、埃、温度変化及び異物といったひどい状態にさらしている。これらの電気通信システムで使用される電気コネクタは、これらのひどい状態から電気接続を守ることができる必要がある。異物が電気コネクタに侵入すると、電気接続が完全に破壊されるため、電気コネクタと通信システムが操作できなくなる。このような事柄によって時間がかかり、電気コネクタが用いられている応用物のコストが上昇している。このように、異物が電気コネクタや連結部材に侵入することを防止する電気コネクタが必要とされている。
【０００３】
産業及び製造環境は、効率が上昇する電気通信システムを共通して使用している。このような環境の電気コネクタは、しばしば、このような環境で蔓延する大量の異物にさらされている。埃、水、化学物質及び他の異物は、オフィス環境よりもこれらの環境において、自制し、大量に存在することがかなり難しくなっている。それゆえ、産業及び製造環境は、いくつもの、かつ大量の異物に耐える電気コネクタを必要としている。さらに、産業及び製造応用物において、ダメージを受けた電気コネクタのために、電気通信システムが使えなくなると、一時的な休止時間が発生し、産業及び製造応用物が不十分になってしまう。それゆえ、所定の環境で蔓延する潜在的にダメージを与える大量の異物から守られた電気コネクタが必要とされている。
（本発明の要約）
【課題】
【０００４】
以上のことより、本発明の主な目的は、改良された電気コネクタを提供することにある。
【０００５】
本発明のさらなる目的は、電気通信システムで用いられる改良された電気コネクタを提供することにある。
【０００６】
本発明のさらなる目的は、ひどい機械的、電気的及び環境的要求から電気コネクタ及び連結部材を守る改良された電気コネクタを提供することにある。
【０００７】
本発明の別の目的は、電気コネクタが用いられる所定の環境で蔓延する大量の異物から電気コネクタ及び連結部材を守る改良された電気コネクタを提供することにある。
【０００８】
本発明のさらなる目的は、電気コネクタの表面への取り付け及び密閉を容易にするバネ部材を有する電気コネクタを提供することにある。
【０００９】
上述の目的は、ひどい機械的、電気的及び環境的要求から電気コネクタ及び連結部材を守る電気コネクタを提供することによって、基本的には達成される。ジャックはジャックハウジングによって受けられ、プラグはプラグハウジングによって受けられる。ジャックはプラグとかみ合うことができる。第一シール部材は、プラグハウジングとジャックハウジングとの間に配置され、それらの間を密閉する。連結部材はプラグハウジングに取り付けられ、ジャックハウジングを受ける。バネ部材は連結部材とプラグハウジングとの間に配置され、ジャックハウジングとプラグハウジングとの間に付勢力を加え、第一シール部材を圧縮する。バネ部材が第一シール部材を圧縮することによって、密着の効率が高まり、ひどい機械的、電気的及び環境的要求から、電気コネクタ及び内部の部材を守る。
【００１０】
本発明の他の目的、利点及び突出した特徴は、後述する詳細な説明から明らかになり、この詳細な説明は、添付された図面とともに用いられ、本発明の好ましい実施の形態を開示する。
【００１１】
最初の開示の一部を形成する図面を参照にする。
【発明を実施するための最良の形態】
【００１２】
図１−１１に示すように、本発明は、コネクタと関連する内部部材を、ひどい機械的、電気的及び環境的要求から守る電気コネクタ１１に関連する。ジャック８１は、ジャックハウジング９１によって受けられ、プラグ４１は、プラグハウジング５１によって受けられる。ジャック８１は、プラグ４１を受けるよう改良され、プラグ４１を受ける。第一シール部材１１１は、ジャック８１とプラグ４１が連結される際、その間を密着させるために、プラグハウジング５１とジャックハウジング９１との間に配置されている。連結部材６１は、プラグハウジング５１に取り付けられ、ジャックハウジング９１を受けるよう改良されている。バネ部材７１は、ジャックハウジング９１とプラグハウジングとの間の第一シール部材を容易に圧縮できるよう、連結部材６１とプラグハウジング５１との間に配置されている。
【００１３】
図１乃至図４に示すように、本発明の電気コネクタ１１は、プラグ４１を受けるように改良されたプラグ組立体２１と、ジャック８１を受けるように改良されたジャック組立体３１とを有している。コードコネクタ組立体１３は、ケーブル１４を電気コネクタ１１のプラグ組立体２１に固定する。ケーブル１４はプラグ４１に連結されている。
【００１４】
図４及び図７に示すように、プラグ組立体２１は、プラグハウジング５１内で受けられるプラグ４１を含んでいる。プラグハウジング５１は、外面５２と内面５４とを有している。第一通路５５は、プラグハウジング５１の先端部５６から後端部５７まで延在し、内面５４を形成している。内面５４の後部５８は、コードコネクタ組立体１３を受けるために、ねじが切られている。図７に示すように、内面５４の前部５９は、プラグ４１を固定して受けるよう改良されている。一度、プラグ４１がプラグハウジング５１によって受けられると、コードコネクタ組立体１３は、プラグハウジング内にプラグを固定して維持するよう、プラグハウジングの後部５８のねじが切られた内面にねじ込まれる。第一ショルダー５３は、前端部５６及び後端部５７の間のプラグハウジング５１の外面５２から外方に延在している。
【００１５】
連結部材６１は先端部６２と後端部６３を有している。第二通路６４は先端部６２から後端部６３まで延在し、連結部材６１の内面６５を形成している。連結部材６１の内後壁６６は、開口６７を有し、そこを通過して、コードコネクタ組立体１３上をスライドし、プラグハウジング５１上に配置される。プラグハウジング５１上の第一ショルダー５３は、開口６７よりも大きな直径を有し、連結部材６１がさらに前方へ移動することを防ぐ。
【００１６】
図４及び図７に示すように、バネ７１は、第一ショルダー５３とカプラーナット６１との間であって、第一ショルダー５３の後方？のプラグハウジング５１の外面５２上に配置されている。バネ７１は、ステンレススチールからなっていることが好ましい。図１０に示すように、バネ７１は、上方平面から見ると円形になっている。図１１に示すように、バネ７１は複数の屈曲７２を有する重複タイプになっている。重複タイプのバネは、小さなバネ空洞（spring cavity）内に、均等なたわみを有している。
【００１７】
図４及び図７に示すように、第一シール部材１１１は、ショルダー５３の前方？であって、プラグハウジング５１の外面５２に配置されている。第一シール部材１１１は、Ｏリングからなることが好ましい。
【００１８】
図１、図４及び図７に示すように、ジャック組立体３１は、ジャック８１とジャックハウジング（カプラー本体）９１とを含んでいる。ジャックハウジング８１は、外面８２と内面８４とを有している。第三通路８５は、ジャックハウジング８１の先端部８６から後端部８７まで延在し、内面８４を形成している。図４に示すように、ジャックハウジング８１の内面８４は、ジャック８１を固定して受けるよう、改良されている。外面８２の後部８８は、取付表面１２にジャックハウジング９１を固定する締め部１０１を受けるよう、ねじが切られている。第二ショルダー９９は、ジャックハウジング９１から外方に延在し、ジャックハウジングが、通過して挿入される取付表面１２内の開口を、さらに通過して移動することを防ぐ。図７に示すように、外面８２の前部８９は、連結部材６１を固定して受けるよう改良されている。ジャックハウジング８１の前部８９は、連結部材６１をバイオネット接続を介してジャックハウジングに固定するために、連結部材上に突起部（図示しないが、タブと同様のもの）を受ける溝９０を有していることが好ましい。
【００１９】
第二シール部材９３は、第二ショルダー９９の後方であって、ジャックハウジングの外面８２に配置されている。第二シール部材はガスケットからなることが好ましい。図２及び図３に示すように、第二シール部材９３は、ジャックハウジング９１の第二ショルダー９９と、電気コネクタ１１が取り付けられる取付表面１２との間に配置されている。
【００２０】
図３に示すように、締め部１０１は、取付表面１２に電気コネクタ１１を固定するジャックハウジング９１にねじ込まれる。図４に示すように、締め部１０１は六角ナットからなることが好ましい。締め部１０１は、ジャックハウジング９１の外面８２の後部８８にねじ込まれる。
【００２１】
第二シール部材９３は、電気コネクタ１１と取付表面との間で防水連結するよう、ジャックハウジング９１と取付表面１２の間に設けられている。第二シール部材９３は、Ｏリングからなることが好ましい。第二シール部材９３は、第二ショルダー９９の後方であって、ジャックハウジング９１の外面８２の後部８８に配置されている。
【００２２】
図４、図６及び図７に示すように、コードコネクタ組立体１３は、プラグハウジング５１にねじ込まれる。コードコネクタ組立体は、プラグハウジングとかみ合い、パッチコードケーブルに対する張力を緩和するだけでなく、パッチコード１４を密閉する。締め部１５はプラグハウジング５１の後部５８のねじが切られた内面にねじ込まれる。ＰＧ９コードコネクタのように、コードコネクタ組立体は容易に手に入る。
【００２３】
図２及び図３に示すように、キャップ組立体１２１は、コネクタ組立体１１に固定されてもよい。キャップ組立体１２１は、キャップ１２３と、連結部材、すなわちつなぎ鎖、１２７とを含んでいる。連結部材１２７は、第二シール部材９３に連結されてもよい。一方、一体となったつなぎ鎖１２７を有する連結第二シール部材１２５は、第二シール部材９３の代わりに、又は第二シール部材９３に加えて用いてもよい。連結部材１２７は、キャップ１２３を第二シール部材９３又は一体となった連結シール部材１２５に連結する。連結シール部材１２５は、第二ショルダー９９の後方であって、ジャックハウジングの外面８２の後部８８上に配置されてもよい。キャップ１２１の内面１３７は、連結部材６１がジャック８１を守るジャックハウジングから取り除かれた際、ジャックハウジング９１の溝９０とかみ合うタブ１２９を有しており、連結シール部材１２５は、ジャックハウジング９１と取付表面１２との間の連結を密閉する。
組立及び分解
【００２４】
本発明の電気コネクタ１１の分解図が、図４に示されている。図１、図６及び図７に示すように、本発明の電気コネクタ１１は完全に組み立てられている。図２及び図３に示すように、キャップ組立体１２１を有する電気コネクタ１１は、完全に構成され、取付表面１２に取り付けられている。図８及び図９に示すように、プラグ組立体２１は取り除かれ、プラグ組立体が挿入されるまで、ジャック組立体３１を守るキャップ組立体１２１と交換される。
【００２５】
ケーブル１４、又はデータを送ることができる他の好ましい構成は、コードコネクタ組立体１３に連結されている。ケーブル１４の自由端は、好ましくはラッチ部材のないＲＪ−４５プラグからなるプラグ４１に連結される。図７に示すように、プラグ４１は、プラグハウジングの内面５４の前部５９内の第一通路５５内に挿入され、プラグは固定されて受けられる。プラグ４１がプラグハウジング５１内に挿入されると、第一シール部材１１１は第一ショルダー５３の前方の外面５２に配置され、バネ７１は第一ショルダーの後方の外面に配置される（前方と後方？）。次に、連結部材６１は、プラグハウジング５１上をスライドする。次に、コードコネクタ組立体１３は、プラグハウジング５１の後部５８内にねじ込まれる。コードコネクタ組立体１３の締め部１５は、プラグハウジングの後端部５７に隣接するまで、プラグハウジング内にねじ込まれる。コードコネクタ組立体１３は、プラグハウジング５１内でプラグ４１を固定する。その後、連結部材６１は、連結部材の後壁６６がバネ７１に隣接するまで、プラグハウジング５１上をスライドされる。
【００２６】
図７及び図９に示すように、好ましくはＲＪ−４５ジャックからなるジャック８１は、ジャックを固定して受けるよう改良されたジャックハウジング９１の内面８４内に挿入される。第二シール部材９３は、第二ショルダー９９の後方であって、ジャックハウジングの外面８２上に配置される。キャップ組立体１２１の連結部材１２５は、第二シール部材９３の代わりに、又は第二シール部材９３に加えて、第二ショルダー９９の後方であって、ジャックハウジング９１の外面８２の後部８８に配置されてもよい。
【００２７】
次に、図２に示すように、ジャック組立体３１は、第一側面１６から取付表面１２内の開口を通過して挿入される。第二シール部材９３は、取付表面１２の第一側面１６に隣接する。次に、締め部１０１は、取付表面の第二側面１７に隣接するまでジャックハウジング９１の後部８８の外面８２にねじ込まれ、ジャックハウジング９１を取付表面に締め付けて固定する。
【００２８】
次に、ジャックとプラグがかみ合うよう、プラグハウジング５１がジャックハウジング９１に挿入される。その後、第一シール部材１１１が、プラグハウジング５１の第一ショルダー５３とジャックハウジング９１の先端部８６との間に配置され、プラグハウジングとジャックハウジングの両者を効率よく密閉する。
【００２９】
次に、連結部材６１は、連結部材の後壁６６が第一ショルダーの近くにくるまで、プラグハウジング５１上を前方にスライドする。連結部材が、好ましくはバイオネット接続によってジャックハウジングとかみ合うと、連結部材の後壁６６は、プラグハウジング５１の第一ショルダー５３に対して、バネ７１を圧縮する。この力は、プラグハウジング５１を、取付表面１２の第一側面１６に向かった前方に移動させ、第一シール部材９３及び第二シール部材１１１の両方を容易に圧縮し、密閉効率を向上させる。
【００３０】
図８及び図９に示すように、プラグ組立体２１は、いつでも取り除かれ、キャップ組立体と交換してもよい。キャップ１２３は、キャップ組立体１２１をジャックハウジングとかみ合わせるジャックハウジング９１の溝９０と係合するタブ１２９を有している。上述のように、キャップ組立体は、いつでも取り除かれ、プラグ組立体２１と交換されてもよい。
【００３１】
本発明を示すために、一の有益な実施の形態が選ばれたが、添付された請求項に記載された発明の範囲から離れない様々な変更や修正を行ってもよいことは、当業者であれば理解される。
【図面の簡単な説明】
【００３２】
【図１】本発明による電気コネクタの斜視図。
【図２】支持部に固定され、取り付けられるキャップを有する本発明の電気コネクタの斜視図。
【図３】図２の電気コネクタの断面における側面図。
【図４】図１の電気コネクタの分解斜視図。
【図５】図１の電気コネクタの正面図。
【図６】図１の電気コネクタの側面図。
【図７】図５の７−７線に沿って切られた図６の電気コネクタの断面における側面図。
【図８】取り付けられたキャップを有する図２の電気コネクタの斜視図。
【図９】図８の電気コネクタとキャップの断面における側面図。
【図１０】電気コネクタのバネの平面図。
【図１１】図１０のバネの正面図。
【図１】
2007519188.tif 000003
【図２】
2007519188.tif 000004
【図３】
2007519188.tif 000005
【図４】
2007519188.tif 000006
【図５】
2007519188.tif 000007
【図６】
2007519188.tif 000008
【図７】
2007519188.tif 000009
【図８】
2007519188.tif 000010
【図９】
2007519188.tif 000011
【図１０】
2007519188.tif 000012
【図１１】
2007519188.tif 000013
【手続補正書】
【提出日】平成18年9月13日(2006.9.13)
【手続補正１】
【補正対象書類名】特許請求の範囲
【補正対象項目名】全文
【補正方法】変更
【補正の内容】
【特許請求の範囲】
【請求項１】
ジャックと、
前記ジャックを受けるジャックハウジングと、
前記ジャックと嵌合可能なプラグと、
前記プラグを受けるプラグハウジングと、
前記プラグハウジングと前記ジャックハウジングとの間に配置され、それらの間を密閉する第一シール部材と、
前記プラグハウジングに取り付けられ、前記ジャックハウジングを受ける連結部材と、
前記連結部材と前記プラグハウジングとの間に配置され、前記第一シール部材を圧縮するために、前記ジャックハウジングと前記プラグハウジングとの間に付勢力を加えるバネ部材と、
を備えたことを特徴とする電気コネクタ。
【請求項２】
前記ジャックはＲＪ−４５ジャックからなり、
前記プラグはＲＪ−４５プラグからなることを特徴とする請求項１記載の電気コネクタ。
【請求項３】
固定部材は、電気コネクタを表面に取り付けるために、前記ジャックハウジングによって、ねじ込み可能で受けられることを特徴とする請求項１記載の電気コネクタ。 
【請求項４】
前記固定部材はナットからなることを特徴とする請求項３記載の電気コネクタ。
【請求項５】
第二シール部材は、前記固定部材と第二ショルダーとの間の前記プラグハウジング上に配置されることを特徴とする請求項３記載の電気コネクタ。
【請求項６】
前記プラグハウジングは、外面上に、前記連結部材の後壁の動きを制限する第一ショルダーを有することを特徴とする請求項１記載の電気コネクタ。
【請求項７】
前記バネは、前記プラグハウジング上であって、前記第一ショルダーと、前記連結部材の前記後壁との間に配置されることを特徴とする請求項６記載の電気コネクタ。
【請求項８】
前記バネは、重複バネ（overlap spring）からなることを特徴とする請求項１記載の電気コネクタ。
【請求項９】
前記バネは、ステンレススチールからなることを特徴とする請求項１記載の電気コネクタ。
【請求項１０】
キャップは、前記ジャックハウジングに連結されることを特徴とする請求項１記載の電気コネクタ。
【請求項１１】
前記キャップは、前記連結部材が取り除かれたときに、前記ジャックハウジングを閉じるために前記ジャックハウジングに連結されることを特徴とする請求項１０記載の電気コネクタ。
【請求項１２】
取付表面に固定される電気コネクタにおいて、
ジャックと、
前記ジャックを受けるとともに、第一外面と、取付表面の第一側面近傍に配置された取付部材とを有するジャックハウジングと、
前記第一外面上で受けられるとともに、取付表面の第二側面近傍に配置された固定部材と、
前記ジャック内で受けられたプラグと、
前記プラグを受けるとともに、第二外面と、前記第二外面から外方に延在する第一ショルダーとを有するプラグハウジングと、
前記プラグハウジングと前記ジャックハウジングとの間に配置され、それらの間を密閉する第一シール部材と、
前記ジャックハウジングの前記第一外面上であって、前記取付部材と前記固定部材との間に配置された第二シール部材と、
後壁を有し、前記プラグハウジング上にあり、前記ジャックハウジングを受け、前記後壁の前記第一ショルダーによる動きを制限する連結部材と、
前記プラグハウジングの外面上に配置され、前記第一シール部材と第二シール部材を圧縮するために、前記連結部材と前記プラグハウジングとの間に付勢力を加えるバネ部材と、
を備えたことを特徴とする電気コネクタ。
【請求項１３】
前記ジャックはＲＪ−４５ジャックからなり、
前記プラグはＲＪ−４５プラグからなることを特徴とする請求項１２記載の電気コネクタ。
【請求項１４】
前記固定部材は、前記ジャックハウジングの前記外面に、ねじ込み可能で受けられることを特徴とする請求項１２記載の電気コネクタ。 
【請求項１５】
前記固定部材はナットからなることを特徴とする請求項１４記載の電気コネクタ。
【請求項１６】
前記バネは、重複バネ（overlap spring）からなることを特徴とする請求項１２記載の電気コネクタ。
【請求項１７】
前記バネは、ステンレススチールからなることを特徴とする請求項１２記載の電気コネクタ。
【請求項１８】
キャップは、前記ジャックハウジングに連結されることを特徴とする請求項１２記載の電気コネクタ。
【請求項１９】
前記キャップは、前記連結部材が取り除かれたときに、前記ジャックハウジングを閉じるために前記ジャックハウジングに連結されることを特徴とする請求項１８記載の電気コネクタ。
【請求項２０】
取付表面に固定されるために改良された電気コネクタにおいて、
ジャックと、
前記ジャックを受けるとともに、第一外面と、そこから外方に延在する第二ショルダーとを有し、取付表面の第一側面上に配置可能なジャックハウジングと、
前記第一外面上で受けられるとともに、前記電気コネクタを取付表面に固定する取付表面の第二側面に配置可能な固定部材と、
前記ジャック内で受けられるプラグと、
前記プラグを受けるとともに、第二外面と、前記第二外面から外方に延在する第一ショルダーとを有するプラグハウジングと、
前記第一ショルダーの前方の前記プラグハウジング上に配置され、前記プラグハウジングと前記ジャックハウジングの間を第一密閉する第一シール部材と、  
前記第二ショルダーの後方の前記ジャックハウジング上に配置され、前記ジャックハウジングと前記取付表面との間を第二密閉する第二シール部材と、
前記ジャックハウジング上にあり、後壁を有する連結部材と、
前記プラグハウジング上に配置され、前記第二ショルダーと前記連結部材の前記後壁との間に付勢力を加え、前記連結部材が、前記第一シール部材と前記第二シール部材を圧縮するために、前記ジャックハウジングと係合するときに圧縮されるバネと、
を備えたことを特徴とする電気コネクタ。
【請求項２１】
前記ジャックはＲＪ−４５ジャックからなり、
前記プラグはＲＪ−４５プラグからなることを特徴とする請求項２０記載の電気コネクタ。
【請求項２２】
前記固定部材は、前記ジャックハウジングの前記外面に、ねじ込み可能で受けられることを特徴とする請求項２０記載の電気コネクタ。 
【請求項２３】
前記固定部材はナットからなることを特徴とする請求項２２記載の電気コネクタ。
【請求項２４】
前記バネは、重複バネ（overlap spring）からなることを特徴とする請求項２０記載の電気コネクタ。
【請求項２５】
前記バネは、ステンレススチールからなることを特徴とする請求項２０記載の電気コネクタ。
【請求項２６】
キャップは、前記ジャックハウジングの前記第二シール部材に連結されることを特徴とする請求項２０記載の電気コネクタ。
【請求項２７】
前記キャップは、前記連結部材が取り除かれたときに、前記ジャックハウジングを閉じるために前記ジャックハウジングに連結されることを特徴とする請求項２６記載の電気コネクタ。
【国際調査報告】
2007519188.tif 000014